(57)【要約】      （修正有）【課題】弦楽器における弦の弦弾先端部への引っ掛かり具合を掴み易くして奏者の思い通りに弦を弾かせて演奏することができる弦楽器用ピックを提供する。【解決手段】弦楽器用ピック１００は、樹脂素材を略三角形状の薄板状に成形した本体部１０１を備える。本体部１０１の各角部には、弦楽器の弦を弾くための弦弾先端部１０２が円弧状に形成されている。本体部１０１の周縁部における各弦弾先端部１０２の間には、弦を弦弾先端部１０２に導くための円弧状のガイド部１０３がそれぞれ形成される。本体部１０１の周縁部におけるガイド部１０３と弦弾先端部１０２との間の部分には、屈曲部１０４が形成されている。屈曲部１０４は、ガイド部１０３上を変位する弦の変位を妨げる側に曲がった円弧状に形成されている。【選択図】図１
2012123350.tif 000002
【特許請求の範囲】
【請求項１】
弦楽器の奏者に把持される板状の本体部と、
前記本体部の周縁上に角状に形成されて弦を弾く弦弾先端部とを有した弦楽器用ピックであって、
前記本体部の周縁部に形成されて前記弦を前記弦弾先端部に向って滑らせるためのガイド部と、
前記ガイド部と前記弦弾先端部との間の部分に前記ガイド部に沿って滑る前記弦の進行を妨げる側に屈曲した屈曲部とを備えたことを特徴とする弦楽器用ピック。
【請求項２】
請求項１に記載した弦楽器用ピックにおいて、
前記弦弾先端部は、前記屈曲部からの突出量が前記弦の直径の２倍ないし３０倍以下で形成されていることを特徴とする弦楽器用ピック。
【請求項３】
請求項１または請求項２に記載した弦楽器用ピックにおいて、
前記屈曲部は、半径が２００ｍｍ以下の円弧で形成されていることを特徴とする弦楽器用ピック。
【請求項４】
請求項１ないし請求項３のうちのいずれか１つに記載した弦楽器用ピックにおいて、
前記屈曲部は、少なくとも円弧状の曲線部を含むとともに同曲線部に対して他の曲線部または直線部を介して前記弦弾先端部に繋がって形成されていることを特徴とする弦楽器用ピック。
【請求項５】
請求項１ないし請求項４のうちのいずれか１つに記載した弦楽器用ピックにおいて、
前記弦弾先端部は、前記弦の半径の１００倍以下の半径の円弧で形成されていることを特徴とする弦楽器用ピック。
【請求項６】
請求項１ないし請求項５のうちのいずれか１つに記載した弦楽器用ピックにおいて、
前記屈曲部は、前記弦弾先端部の両側にそれぞれ形成されており、
前記両側に形成された２つの前記屈曲部は、互いに異なる形状で形成されていることを特徴とする弦楽器用ピック。
【請求項７】
請求項１ないし請求項６のうちのいずれか１つに記載した弦楽器用ピックにおいて、
前記弦弾先端部は、前記本体部に少なくとも２つ以上形成されていることを特徴とする弦楽器用ピック。
【発明の詳細な説明】
【技術分野】
【０００１】
本発明は、ギターなどの弦楽器の演奏時に弦を弾く弦楽器用ピックに関する。
【背景技術】
【０００２】
従来から、ギターなどの弦楽器は、弦楽器内に張られた弦を奏者の指または指で把持した片状のピックで弾くことにより演奏される。一般に、弦楽器の弦を弾く弦楽器用ピックは、樹脂素材や鼈甲材を角の丸い略三角形状の薄板状に成形して構成されている。
【０００３】
例えば、下記特許文献１には、樹脂素材や鼈甲材を略三角形状の薄板状に成形した弦楽器用ピックが開示されている。また、下記特許文献２，３には、弦楽器の弦を弾く角部である弦弾先端部を鋸状に形成することにより弦をかき鳴らすことができる弦楽器用ピックがそれぞれ開示されている。
【先行技術文献】
【特許文献】
【０００４】
【特許文献１】特開２００８−３１００１１号公報
【特許文献２】特開２００５−５１３５５８号公報
【特許文献３】特開２００３−１６７５７３号公報
【０００５】
しかしながら、このような弦楽器用ピックにおいては、弦弾先端部への弦の引っ掛かり具合が感覚として掴み難く、弦の弦弾先端部への引っ掛かり具合をコントロールしながら思い通りの演奏をすることが困難であるという問題があった。
【０００６】
本発明は上記問題に対処するためなされたもので、その目的は、弦楽器における弦の弦弾先端部への引っ掛かり具合を掴み易くして奏者の思い通りに弦を弾かせて演奏することができる弦楽器用ピックを提供することにある。
【発明の概要】
【０００７】
上記目的を達成するため、請求項１に係る本発明の特徴は、弦楽器の奏者に把持される板状の本体部と、本体部の周縁上に角状に形成されて弦を弾く弦弾先端部とを有した弦楽器用ピックであって、本体部の周縁部に形成されて弦を弦弾先端部に向って滑らせるためのガイド部と、ガイド部と弦弾先端部との間の部分に、ガイド部に沿って滑る弦の進行を妨げる側に屈曲した屈曲部とを備えたことにある。
【０００８】
このように構成した請求項１に係る本発明の特徴によれば、弦楽器用ピックは、奏者に把持される本体部の周縁部に弦を弾く弦弾先端部と同弦弾先端部に向かって弦を滑らせるガイド部とが形成されるとともに、これらの弦弾先端部とガイド部との間に弦の進行を妨げる側に屈曲した屈曲部を備えて構成されている。このため、弦楽器を演奏する奏者は、弦楽器の弦をガイド部上を弦弾先端部に向かって滑らせる過程において、弦の変位が屈曲部で妨げられた感覚を受けることにより弦弾先端部に対する弦の位置関係を把握することができる。これにより、奏者は、弦楽器における弦の弦楽器用ピックへの引っ掛かり具合が掴み易くなり思い通りに弦を弦弾先端部で弾かせて演奏することができる。
【０００９】
また、請求項２に係る本発明の他の特徴は、前記弦楽器用ピックにおいて、弦弾先端部は、屈曲部からの突出量が弦の直径の２倍ないし３０倍以下で形成されていることにある。この場合、本発明者によれば、例えば、弦楽器における弦の直径が０.０１インチの場合には、弦弾先端部の突出量は、１ｍｍないし６ｍｍの範囲が好適である。
【００１０】
このように構成した請求項２に係る本発明の他の特徴によれば、弦楽器用ピックは、弦弾先端部の屈曲部からの突出量が弦の直径の２倍ないし３０倍以下で形成されている。これにより、弦楽器の奏者は、弦の変位が屈曲部で妨げられてからの弦の弦弾先端部への引っ掛け具合がより掴み易くなり、思い通りの演奏を行い易くなる。
【００１１】
また、請求項３に係る本発明の他の特徴は、前記弦楽器用ピックにおいて、屈曲部は、半径が２００ｍｍ以下の円弧で形成されていることにある。この場合、本発明者によれば、例えば、弦楽器における弦の直径が０.０１インチの場合には、屈曲部は５ｍｍ〜１００ｍｍ程度の半径の円弧が好適である。
【００１２】
このように構成した請求項３に係る本発明の他の特徴によれば、弦楽器用ピックは、屈曲部が２００ｍｍの半径の円弧で形成されている。これにより、弦楽器の奏者は、屈曲部による弦の変位が妨げられた感触を感知し易くなり、思い通りの演奏を行い易くなる。
【００１３】
また、請求項４に係る本発明の他の特徴は、前記弦楽器用ピックにおいて、屈曲部は、少なくとも円弧状の曲線部を含むとともに同曲線部に対して他の曲線部または直線部を介して弦弾先端部に繋がって形成されていることにある。
【００１４】
このように構成した請求項４に係る本発明の他の特徴によれば、弦楽器用ピックは、屈曲部が少なくとも円弧状の曲線部を含むとともに同曲線部に対して他の曲線部または直線部を介して弦弾先端部に繋がって形成されている。これにより、弦楽器用ピックを使用する奏者は、屈曲部を構成する曲線部と弦弾先端部との間の他の曲線部上または直線部上に弦を滑らせることによって弦の弾き方に変化を付けることができ、様々な演奏感を楽しむことができる。
【００１５】
また、請求項５に係る本発明の他の特徴は、前記弦楽器用ピックにおいて、弦弾先端部は、弦の半径の１００倍以下の半径の円弧で形成されていることにある。この場合、本発明者によれば、例えば、弦楽器における弦の直径が０.０１インチの場合には、弦弾先端部は０.５ｍｍ〜５ｍｍ程度の半径の円弧が好適である。
【００１６】
このように構成した請求項５に係る本発明の他の特徴によれば、弦楽器用ピックは、弦弾先端部が弦の半径の１００倍以下の半径の円弧で形成されている。これにより、弦楽器の奏者は、弦弾先端部によって弦楽器の弦を弾き易くなり、思い通りの演奏を行い易くなる。
【００１７】
また、請求項６に係る本発明の他の特徴は、前記弦楽器用ピックにおいて、屈曲部は、弦弾先端部の両側にそれぞれ形成されており、前記両側に形成された２つの屈曲部は、互いに異なる形状で形成されていることにある。
【００１８】
このように構成した請求項６に係る本発明の他の特徴によれば、弦楽器用ピックは、屈曲部が弦弾先端部の両側にそれぞれ形成されており、これら両側に形成された２つの屈曲部が互いに異なる形状で形成されている。これにより、弦楽器の奏者は、互いに形状が異なる屈曲部を使い分けることにより、弦楽器の演奏感を好みに応じて変えることができる。
【００１９】
また、請求項７に係る本発明の他の特徴は、前記弦楽器用ピックにおいて、弦弾先端部は、本体部に少なくとも２つ以上形成されていることにある。
【００２０】
このように構成した請求項７に係る本発明の他の特徴によれば、弦楽器用ピックは、弦弾先端部が本体部の周縁部に少なくとも２つ以上形成されている。この場合、弦楽器用ピックの各弦弾先端部に繋がって形成される屈曲部は、互いに同じ形状に形成されていてもよいし、互いに異なる形状に形成されていてもよい。これにより、弦楽器の奏者は、使用できなくなった弦弾先端部に代えて新たな弦弾先端部を使用することにより一つの弦楽器用ピックを長く使い続けることができ、または、互いに形状が異なる屈曲部を使い分けることにより、弦楽器の演奏感を好みに応じて変えながら演奏することができる。
【図面の簡単な説明】
【００２１】
【図１】（Ａ），（Ｂ）は本発明の一実施形態に係る弦楽器用ピックの全体構成を概略的に示しており、（Ａ）は弦楽器用ピックの平面図であり、（Ｂ）は弦楽器用ピックの正面図である。
【図２】図１に示す弦楽器用ピックにおける弦弾先端部、ガイド部および屈曲部を拡大した拡大平面図である。
【図３】本発明の変形例に係る弦楽器用ピックの全体構成を概略的に示す平面図である。
【図４】本発明の他の変形例に係る弦楽器用ピックの全体構成を概略的に示す平面図である。
【図５】本発明の他の変形例に係る弦楽器用ピックの全体構成を概略的に示す平面図である。
【図６】本発明の他の変形例に係る弦楽器用ピックの全体構成を概略的に示す平面図である。
【図７】本発明の他の変形例に係る弦楽器用ピックの全体構成を概略的に示す平面図である。
【図８】本発明の他の変形例に係る弦楽器用ピックの全体構成を概略的に示す平面図である。
【図９】本発明の他の変形例に係る弦楽器用ピックの全体構成を概略的に示す平面図である。
【発明を実施するための形態】
【００２２】
以下、本発明に係る弦楽器用ピックの一実施形態について図面を参照しながら説明する。図１は、本発明に係る弦楽器用ピック１００の全体構成の概略的に示しており、（Ａ）は弦楽器用ピック１００の平面図であり、（Ｂ）は弦楽器用ピック１００の正面図である。なお、本明細書において参照する各図は、本発明の理解を容易にするために一部の構成要素を誇張して表わすなど模式的に表している。このため、各構成要素間の寸法や比率などは異なっていることがある。この弦楽器用ピック１００は、エレクトリックギター、アコースティックギター、ベースギターまたはマンドリンなどの各種弦楽器を演奏する際に弦を弾く道具として用いられるものである。
【００２３】
（弦楽器用ピック１００の構成）
弦楽器用ピック１００は、本体部１０１を備えている。本体部１０１は、弦楽器（図示せず）の奏者によって把持される樹脂製の薄板であり、角の丸い略三角形状に成形されている。本実施形態においては、本体部１０１は、ポリアセタール樹脂（ＰＯＭ）を厚さ約１ｍｍ、一辺の長さが約３０ｍｍの略三角形状に成形して構成されている。
【００２４】
この本体部１０１における３つの角部には、弦弾先端部１０２がそれぞれ形成されている。弦弾先端部１０２は、弦楽器（図示せず）の演奏時に弦を弾く片状の部分であり、それぞれ円弧状に形成されている。本実施形態においては、弦弾先端部１０２は、半径が約２ｍｍの円弧でそれぞれ形成されている。
【００２５】
３つの弦弾先端部１０２の各間における本体部１０１の周縁部には、ガイド部１０３がそれぞれ形成されている。ガイド部１０３は、弦弾先端部１０２で弾かれる弦楽器の弦を弦弾先端部１０２に導くための滑らかな辺状の部分であり、それぞれ円弧状に形成されている。本実施形態においては、ガイド部１０３は、半径が約３５ｍｍの円弧でそれぞれ形成されている。また、この弦弾先端部１０２は、後述する屈曲部１０４から所定の突出量ｈで形成されている。本実施形態においては、弦弾先端部１０２は、屈曲部１０４から約４ｍｍの突出量ｈで形成されている。
【００２６】
３つの弦弾先端部１０２と３つのガイド部１０３との各間における本体部１０１の周縁部のうち、図示下側に突出する弦弾先端部１０２と同弦弾先端部１０２の両側に繋がる２つのガイド部１０３との間における本体部１０１の周縁部には、屈曲部１０４がそれぞれ形成されている。屈曲部１０４は、詳しくは図２に示すように、ガイド部１０３上を変位する弦楽器の弦９０の円滑な進行に抵抗を与える部分であり、ガイド部１０３と弦弾先端部１０２との間の部分がガイド部１０３上を変位する弦９０の進行を妨げる側に屈曲して形成されている。本実施形態においては、屈曲部１０４は、半径が約１００ｍｍの円弧でそれぞれ形成されている。この屈曲部１０４は、本実施形態においては、弦弾先端部１０２の両側にそれぞれ同じ円弧形状に形成されている。なお、図２においては、弦９０を破線で示している。また、本実施形態における弦９０は、直径が０.０１インチに形成されたものを想定している。
【００２７】
（弦楽器用ピック１００の作動）
次に、このように構成した弦楽器用ピック１００の作動について説明する。まず、弦楽器用ピック１００の使用者（弦楽器の奏者）は、演奏する弦楽器（図示せず）および弦楽器用ピック１００をそれぞれ用意する。そして、使用者は、弦楽器用ピック１００を使用して弦楽器の演奏を開始する。具体的には、使用者は、弦楽器用ピック１００の本体部１０１の中央部を指で把持して弦楽器用ピック１００の周縁部によって弦楽器の弦９０を弾く。
【００２８】
より具体的には、使用者は、図２に示すように、弦楽器用ピック１００のガイド部１０３に弦９０を好みの角度で当てて同ガイド部１０３上を図示下方の弦弾先端部１０２に向って滑らせる（図示破線矢印参照）。この場合、弦楽器用ピック１００のガイド部１０３は、滑らかな円弧に形成されているため、弦９０を滑らかに弦弾先端部１０２に向って滑らせることができる。
【００２９】
そして、ガイド部１０３上を変位する弦９０が屈曲部１０４に達すると、弦９０は屈曲部１０４の円弧形状に沿って変位する。この場合、屈曲部１０４がガイド部１０３上を変位する弦９０の進行を妨げる側に屈曲、具体的には、滑らかな凸状の円弧で形成されたガイド部１０３に対して凹状に凹んだ円弧状に形成されているため、使用者は、ガイド部１０３上を滑らかに変位する弦９０の変位の様子が変化したことを感じる。これにより、使用者は、弦楽器用ピック１００の周縁部を変位する弦９０が弦弾先端部１０２の近傍に位置したことを認識することができる。
【００３０】
したがって、使用者は、弦９０が屈曲部１０４に達したと感知した後は、弦弾先端部１０２における所望する位置で弦９０を所望する強さで弾くようにタイミングを計りながら弦楽器用ピック１００を操作して弦弾先端部１０２によって弦９０を弾く。これにより、弦楽器は、弦９０が弦弾先端部１０２によって弾かれるため、使用者の所望した音色で発音する。そして、使用者は、弦９０を弾いた後、引き続き弦楽器を演奏する場合には、直ちに弦楽器用ピック１００の位置を戻して前記と同様にガイド部１０３に弦９０を当てて同ガイド部１０３上を滑らせる。すなわち、使用者は、弦楽器用ピック１００のガイド部１０３、屈曲部１０４および弦弾先端部１０２上に対して弦９０を連続的に滑らせて弾くとともに、これらの動作を繰り返し反復することによって弦楽器を連続的または断続的に発音させて演奏する。
【００３１】
そして、使用者は、弦楽器用ピック１００における１組のガイド部１０３、屈曲部１０４および弦弾先端部１０２を繰り返し使用した結果、これらのいずれかが摩耗して使用が困難な状態となった場合には、弦楽器用ピック１００における他の１組のガイド部１０３、屈曲部１０４および弦弾先端部１０２に使用を切り替える。これにより、使用者は、１つの弦楽器用ピック１００を長期間に亘って使用することができるとともに、弦楽器の演奏中に弦弾先端部１０２等が使用不能となった場合においても他の弦弾先端部１０２に使用を切り替えることによって演奏を中断することなく継続することができる。
【００３２】
上記作動説明からも理解できるように、上記実施形態によれば、弦楽器用ピック１００は、奏者に把持される本体部１０１の周縁部に弦９０を弾く弦弾先端部１０２と同弦弾先端部１０２に向かって弦を滑らせるガイド部１０３とが形成されるとともに、これらの弦弾先端部１０２とガイド部１０３との間に弦９０の進行を妨げる側に屈曲した屈曲部１０４を備えて構成されている。このため、弦楽器を演奏する奏者は、弦楽器の弦９０をガイド部１０４上を弦弾先端部１０２に向かってを滑らせる過程において、弦９０の変位が屈曲部１０４で妨げられた感覚を受けることにより弦弾先端部１０２に対する弦９０の位置関係を把握することができる。これにより、奏者は、弦楽器における弦９０の弦楽器用ピック１００への引っ掛かり具合が掴み易くなり思い通りに弦９０を弦弾先端部１０２で弾かせて演奏することができる。
【００３３】
さらに、本発明の実施にあたっては、上記実施形態に限定されるものではなく、本発明の目的を逸脱しない限りにおいて種々の変更が可能である。なお、下記各変形例を示す図３〜図７においては、上記実施形態における弦楽器用ピック１００の構成部分に対応する部分に同じ符号を付して、これらの説明は適宜省略する。
【００３４】
例えば、上記実施形態においては、屈曲部１０４を弦楽器用ピック１００における１つの弦弾先端部１０２の各両側にそれぞれ形成した。しかし、屈曲部１０４は、弦楽器用ピック１００における少なくとも１つの弦弾先端部１０２の少なくとも片側に形成されていればよい。したがって、例えば、図３に示すように、弦楽器用ピック１００における３つの弦弾先端部１０２の両側にそれぞれ屈曲部１０４を形成することもできる。
【００３５】
また、上記実施形態においては、３つの弦弾先端部１０２の各両側に形成した各屈曲部１０４をすべて同じ形状に形成した。しかし、屈曲部１０４は、各形成位置ごとに互いに異なる形状に形成することもできる。例えば、図４に示すように、１つの弦弾先端部１０２の両側に互いに半径の異なる円弧状の屈曲部１０４をそれぞれ形成することもできる。なお、図４においては、図示上側２つの弦弾先端部１０２は、屈曲部１０４を有しない従来型の弦弾先端部となっている。
【００３６】
また、上記実施形態においては、屈曲部１０４を円弧状に形成した。しかし、屈曲部１０４は、ガイド部１０３上を変位する弦９０の進行を妨げる側に屈曲した形状、具体的には、傾斜または曲がった形状であれば、上記実施形態に限定されるものではない。すなわち、屈曲部１０４は、上記実施形態とは異なる半径の円弧または直線を単体で、さらには、円弧と直線とを適宜組合せて形成することができる。この場合、本発明者による官能試験によれば、屈曲部１０４を円弧状に形成する場合においては、屈曲部１０４の半径を２００ｍｍ以下に設定するとよい。例えば、弦楽器における弦９０の直径が０.０１インチの場合には、屈曲部１０４は０.５ｍｍ〜２００ｍｍ程度の半径の円弧が好適である。この場合、より具体的には、弦９０を強く弾くための弦弾先端部１０２においては、屈曲部１０４は０.５ｍｍ〜３０ｍｍ程度の半径の円弧が好適であり、弦９０を弱く弾くための弦弾先端部１０２においては、屈曲部１０４は２０ｍｍ〜２００ｍｍ程度の半径の円弧が好適である。これによれば、弦楽器の奏者は、屈曲部１０４による弦９０の変位が妨げられた感触を感知し易くなり、思い通りの演奏を行い易くなる。
【００３７】
例えば、図５には、屈曲部１０４を２つの円弧状の曲線で構成した弦楽器ピック１００を示している。この図５に示した弦楽器用ピック１００は、屈曲部１０４が弦楽器ピック１００の本体部１０１の内側に凹んで湾曲した円弧状の第１曲線部１０４ａと本体部１０１の外側に突出して湾曲した円弧状の第２曲線部１０４ｂとによって構成されている。したがって、この弦楽器用ピック１００の使用者は、第１曲線部１０４ａによって弦９０の変位の様子の変化、具体的には弦９０の進行の抵抗感や異質感を受けた後、弦９０を湾曲した第２曲線部１０４ｂ上を滑らせながら弾くことになり、１つの曲線部１０４ａのみで屈曲部１０４を構成した弦楽器用ピック１００（上記実施形態）の場合に比べて異なった演奏感を得ることができる。
【００３８】
また、図６には、屈曲部１０４を１つの円弧状の曲線と１つの直線とで構成した弦楽器ピック１００を示している。この図６に示した弦楽器用ピック１００は、屈曲部１０４が弦楽器ピック１００の本体部１０１の内側に凹んで湾曲した円弧状の曲線部１０４ａと直線で構成された直線部１０４ｃとによって構成されている。したがって、この弦楽器用ピック１００の使用者は、第１曲線部１０４ａによって弦９０の変位の様子の変化（抵抗感や異質感）を感じ取った後、弦９０を直線状の直線部１０４ｂｃ上を滑らせながら弾くことになり、一つの第１曲線部１０４ａのみまたは第１曲線部１０４ａと第２曲線部１０４ｂとで屈曲部１０４を構成した上記実施形態または上記変形例に係る弦楽器用ピック１００に比べて、また異なった演奏感を得ることができる。
【００３９】
なお、屈曲部１０４が２つ以上の円弧および／または直線によって構成されている場合であっても、屈曲部１０４が１つの円弧または直線で構成されておりこの屈曲部１０４を１つ以上の円弧および／または直線を介して弦弾先端部１０２に繋げた構成の場合であっても、両者が実質的に同一であることは言うまでもない。また、図５および図６においては、図示上側２つの弦弾先端部１０２は、屈曲部１０４を有しない従来型の弦弾先端部となっている。また、これらの屈曲部１０４は、弦弾先端部１０２の両側に同じ形状で形成されている。
【００４０】
また、他の変形例として、例えば、図７および図８に示すように、円弧状のガイド部１０３に対して直線部を介して弦弾先端部１０２に繋げることにより屈曲部１０４を尖った入隅状に形成することもできる。このように、屈曲部１０４を尖った入隅状に形成することにより、弦楽器用ピック１００の使用者は、ガイド部１０３上を変位する弦９０の進行の様子の変化が明確に感知できるようになりより演奏を行い易くなる。すなわち、屈曲部１０４は、ガイド部１０３と弦弾先端部１０２とで劣角状の屈曲部を形成するようにするとよい。なお、図７および図８においては、図示上側２つの弦弾先端部１０２は、屈曲部１０４を有しない従来型の弦弾先端部となっている。
【００４１】
また、上記実施形態においては、弦楽器ピック１００の本体部１０１に対して３つの弦弾先端部１０２を形成した。しかし、弦弾先端部１０２は、弦楽器ピック１００の本体部１０１に対して少なくとも１つ形成されていればよく、必ずしも上記実施形態に限定されるものではない。すなわち、この弦弾先端部１０２の形成数は、弦楽器用ピック１００の形状が略三角形に限定されるものではないことも意味している。このため、弦楽器用ピック１００の形状は、従来から多く採用されている形状、例えば、おにぎり型、ホームベース型およびティアドロップ型に形成することもできる。また、上記特許文献２，３に記載された鋸状の部分と組み合わせることもできる。
【００４２】
また、上記実施形態においては、弦弾先端部１０２を円弧状に形成した。しかし、弦弾先端部１０２は、弦９０を弾くことができる形状であれば、上記実施形態に限定されるものではない。すなわち、弦弾先端部１０２は、上記実施形態とは異なる半径の円弧状に形成することができる。この場合、本発明者による官能試験によれば、弦弾先端部１０２は、弦９０の半径の１００倍以下の半径の円弧で形成されるよい。例えば、弦楽器における弦９０の直径が０.０１インチの場合には、弦弾先端部１０２は０.５ｍｍ〜５ｍｍ程度の半径の円弧が好適である。これによれば、弦楽器の奏者は、弦弾先端部１０２によって弦楽器の弦９０を弾き易くなり、思い通りの演奏を行い易くなる。
【００４３】
また、他の変形例として、例えば、図８に示すように、弦弾先端部１０２を先端部の尖った略三角形状に形成することもできる。また、図示は省略するが、弦弾先端部１０２を方形状や楕円状に形成することもできる。また、１つの本体部１０１上に複数の弦弾先端部１０２を形成する場合、互いに異なる形状の弦弾先端部１０２を形成することもできる。
【００４４】
また、上記実施形態においては、弦弾先端部１０２の屈曲部１０４からの突出量ｈを約４ｍｍに設定した。しかし、弦弾先端部１０２の屈曲部１０４からの突出量ｈは、弦９０を弾くことができれば、必ずしも上記実施形態に限定されるものではない。この場合、本発明者による官能試験によれば、弦弾先端部１０２の屈曲部１０４からの突出量ｈは、弦９０の直径の２倍ないし３０倍以下に設定するとよい。例えば、弦楽器における弦９０の直径が０.０１インチの場合には、弦弾先端部１０２の突出量は、概ね１ｍｍないし６ｍｍの範囲が好適である。これによれば、弦楽器の奏者は、弦９０の変位が屈曲部１０４で妨げられてからの弦９０の弦弾先端部１０２への引っ掛け具合がより掴み易くなり、思い通りの演奏を行い易くなる。なお、上記実施形態および各変形例において弦弾先端部１０２の屈曲部１０４からの突出量ｈは、屈曲部１０４の形成長さの中間点を基点として弦弾先端部１０２の最先端部までの長さを想定しているが、前記基点は屈曲部１０４の円弧中心とすることもできる。
【００４５】
また、上記実施形態においては、ガイド部１０３を円弧に形成した。しかし、ガイド部１０３は、弦９０を弦弾先端部１０２に導くことができる形状であれば、必ずしも上記実施形態に限定されるものではない。すなわち、ガイド部１０３は、上記実施形態とは異なる半径の円弧に形成されていてもよいし、直線状に形成されていてもよい。また、ガイド部１０３を円弧状に形成する場合、例えば、図９に示すように、本体部１０１の周縁部を凹状に凹ませた円弧状に形成することもできる。さらに、ガイド部１０３を本体部１０１の周縁部に複数形成する場合には、各ガイド部１０３をそれぞれ互いに異なる形状に形成することもできる。なお、図９においては、図示上側２つの弦弾先端部１０２は、屈曲部１０４を有しない従来型の弦弾先端部となっている。
【００４６】
また、上記実施形態においては、弦楽器用ピック１００の本体部１０１は、樹脂素材を厚さ約１ｍｍの薄板に成形して構成した。しかし、本体部１０１を構成する素材および厚さは、弦楽器用ピック１００に求められる仕様や使用者の好みに応じて適宜決定されるものであり、上記実施形態に限定されるものではない。例えば、弦楽器用ピック１００の本体部１０１は、ゴム材、フェルト材および金属材などで構成することができる。また、弦楽器用ピック１００の本体部１０１の厚さや硬さも弦楽器用ピック１００に求められる仕様や使用者の好みに応じて自由に選定することができる。
【符号の説明】
【００４７】
ｈ…突出量、
９０…弦、
１００…弦楽器用ピック、
１０１…本体部、
１０２…弦弾先端部、
１０３…ガイド部、
１０４…屈曲部
１０４ａ…第１曲線部
１０４ｂ…第２曲線部
１０４ｃ・・・直線部。
【図１】
2012123350.tif 000003
【図２】
2012123350.tif 000004
【図３】
2012123350.tif 000005
【図４】
2012123350.tif 000006
【図５】
2012123350.tif 000007
【図６】
2012123350.tif 000008
【図７】
2012123350.tif 000009
【図８】
2012123350.tif 000010
【図９】
2012123350.tif 000011